(57)【要約】【課題】  ディジタルＴＶ放送信号受信装置１に多指向性アンテナ（スマートアンテナ）２が接続され、かつアナログＴＶ放送信号を受信する場合に、高層ビルなどの反射によるゴーストなどの影響を受けにくくして、最適な受信方向を決定する。【解決手段】  所定のチャンネルについてのＴＶ放送信号を多指向性アンテナ２の各受信方向について、チューナ１１によりそれぞれ順に受信を行う。ＮＴＳＣデコーダ１３は、各受信方向におけるアナログＴＶ放送信号から画像データを取得し、取得した各画像データにＡ／Ｄ変換及びＪＰＥＧ圧縮などの所定の処理を行う。制御部１６は、ビットマップレートなどの画像の複雑度が最も低い方向を、所定のチャンネルについての最適な受信方向に決定する。【選択図】  図２
2005318140.tif 000002
【特許請求の範囲】
【請求項１】
あらかじめ規格で定められている複数の受信方向を有する多指向性アンテナが接続され、前記複数の受信方向のうちのいずれか１つの受信方向のみを有効にして、ディジタル又はアナログテレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、ディジタル又はアナログテレビジョン放送信号の受信を行う放送信号受信手段と、
前記テレビジョン放送信号受信手段により受信されたディジタルテレビジョン放送信号に対して所定の信号処理を行うディジタル信号処理手段と、
前記テレビジョン放送信号受信手段により受信されたアナログテレビジョン放送信号に対して所定の信号処理を行うアナログ信号処理手段と、
前記ディジタル信号処理手段又は前記アナログ信号処理手段により処理された信号をモニタ装置に出力する信号出力手段と、
前記ディジタル信号処理手段又は前記アナログ信号処理手段により処理された信号を一時的に記憶する記憶手段と、
前記記憶手段に記憶された信号を用いて、受信可能な各チャンネルについての最適な受信方向を決定する受信方向決定手段と、
ディジタルテレビジョン放送信号受信装置の各部を制御する全体制御手段を備え、
多指向性アンテナが接続されたときに、前記制御信号出力手段は、前記多指向性アンテナの受信方向が、順に前記複数の受信方向を向くように、所定の間隔で制御信号を出力し、
前記放送信号受信手段は、前記所定の間隔で、前記多指向性アンテナを介して所定のチャンネルのディジタル又はアナログテレビジョン放送信号の受信を行い、
前記受信方向決定手段は、
前記放送信号受信手段により受信したテレビジョン放送信号がディジタルテレビジョン放送信号である場合に、所定のエラー訂正処理中に得られたデータを用いて、前記所定のチャンネルについての最適な受信方向を決定し、
前記放送信号受信手段により受信したテレビジョン放送信号がアナログテレビジョン放送信号である場合に、前記記憶手段に記憶されている信号を用いて、前記複数の受信方向のそれぞれにおける信号受信強度を測定し、信号受信強度の高い方から順に複数の受信方向を選択し、選択された各受信方向における画像データをそれぞれ取得し、取得した画像データにＡ／Ｄ変換及びＪＰＥＧ圧縮処理を行い、ビットレートの最も低い受信方向を、前記所定のチャンネルについての最適な受信方向に決定することを特徴とするディジタルテレビジョン放送信号受信装置。
【請求項２】
ユーザが選択したチャンネルについて、そのチャンネルについて最もテレビジョン放送信号の受信状態が良い方向に多指向性アンテナの受信方向を自動的に設定するオートスキャンモードを有し、
ユーザがオートスキャンモードを選択したときに、前記設定された受信方向切換時間で制御信号を出力し、前記多指向性アンテナの受信方向のそれぞれについて、ユーザが選択したチャンネルのテレビジョン放送信号にＪＰＥＧ圧縮処理を行い、ビットレートの低い受信方向をそのチャンネルに対する最適な受信方向であると判断し、最も強い信号受信強度を示す方向に多指向性アンテナの受信方向を自動的に設定してテレビジョン放送信号を受信することを特徴とする請求項１に記載のディジタルテレビジョン放送信号受信装置。
【請求項３】
あらかじめ規格で定められている複数の受信方向を有する多指向性アンテナが接続され、前記複数の受信方向のうちのいずれか１つの受信方向のみを有効にして、ディジタル又はアナログテレビジョン放送信号を受信するディジタルテレビジョン放送信号受信装置において、
多指向性アンテナが接続され、かつ受信した所定のチャンネルについてのテレビジョン放送信号がアナログテレビジョン放送信号である場合に、前記複数の受信方向について、それぞれ順にアナログテレビジョン放送信号の受信を行い、各受信方向におけるアナログテレビジョン放送信号から画像データを取得し、取得した各画像データに所定の処理を行い、画像の複雑度が最も低い方向を、前記所定のチャンネルについての最適な受信方向に決定することを特徴とするディジタルテレビジョン放送信号受信装置。
【請求項４】
ユーザが選択したチャンネルについて、所定の処理を施したテレビジョン放送信号の画像の複雑度が最も低い方向に多指向性アンテナの受信方向を自動的に設定するオートスキャンモードを有することを特徴とする請求項３に記載のディジタルテレビジョン放送信号受信装置。
【発明の詳細な説明】
【技術分野】
【０００１】
本発明は、例えばＡＴＳＣなどのディジタルテレビジョン放送信号だけでなく、ＮＴＳＣなどのアナログテレビジョン放送信号の受信が可能なディジタルテレビジョン（ＴＶ）放送信号受信装置に関する。
【背景技術】
【０００２】
ＡＴＳＣディジタルテレビジョン放送（以下、ディジタルＴＶ放送と略称する）が行われている北米大陸では、平野部に大都市が点在するため、各都市の近郊で放送されているディジタルＴＶ放送信号を他の都市や、その中間地点で受信することが可能である。また、従来のＮＴＳＣアナログＴＶ放送も引き続き行われている。ＴＶ放送信号を受信するユーザ側から見ると、様々な方向からＴＶ放送信号が送信されてくるため、自分の見たい番組が放送されている放送局の方向にアンテナの向きを調節する必要がある。そこで、スマートアンテナなど多指向性アンテナが実用化されつつある。
【０００３】
なお、アンテナの受信方向を制御する装置に関しては、車両などの移動体に搭載され、通信衛星を追尾するアンテナの制御装置が知られている（特許文献１参照）。また、携帯電話の基地局と通信するためのスマートアンテナ装置も知られている（特許文献２参照）。
【特許文献１】特開平５−２３２２０５号公報
【特許文献２】特開２００３−６０４２３号公報
【発明の開示】
【発明が解決しようとする課題】
【０００４】
ＥＩＡ−９０９規格によれば、スマートアンテナは円を１６分割した各方向に受信方向を有すると規定されている。ディジタルＴＶ放送信号を受信するディジタルＴＶ放送信号受信装置としては、ＥＩＡ−９０９規格に準拠して１６方向の全てに対して多指向性アンテナの受信方向を調節できるように設定されている。また、ディジタルＴＶ放送信号受信装置は、従来のＮＴＳＣアナログＴＶ放送信号も受信可能である。
【０００５】
このようなディジタルＴＶ放送信号受信装置には、ユーザが選択したチャンネルのＴＶ放送信号を最も状態良く受信できるアンテナの方向を選択するオートスキャン機能が備えられているものも存在する。通常、放送局側のアンテナ、すなわち送信塔の位置は変化しないので、各チャンネルごとに１６方向についてスキャンを行い、最も受信状態の良い方向をそのチャンネルの受信方向に設定すればよい。ところが、米国などでは、比較的容易に放送局が新規開業する一方、放送局が倒産することもあり得る。そのため、従来受信できなかったチャンネルが新たに受信できるようになったり、従来受信できていたチャンネルが受信できなくなったりすることがある。さらに、高層ビルの建設によってＴＶ放送信号の受信状態が変化することもあり得る。そのため、必要に応じてユーザが選択したチャンネルについて最適な受信方向を設定し直す必要がある場合もあり得る。
【０００６】
一般的に、各チャンネルについて受信したＴＶ放送信号の信号受信強度の最も高い方向を、そのチャンネルの受信状態の最も良い方向であると定義することができる。ところが、高層ビルなどの巨大構造物が受信アンテナの付近に存在する場合、ある受信方向における送信塔から直接送信されるＴＶ放送信号に巨大構造物によって反射されたＴＶ放送信号（反射波）が重畳され、反射波がなければ本来最適な受信方向であるべき他の受信方向における送信塔から直接送信されるＴＶ放送信号よりも高くなる場合もあり得る。そのような場合に、信号受信強度が最大の方向をそのチャンネルについての最適受信方向とすると、送信塔から直接送信されるＴＶ放送信号に反射されたＴＶ放送信号が重畳されているので、いわゆるゴーストの影響により、色信号が正しく受信できなかったり、あるいは水平同期信号が正しく受信できなかったりする。その結果、色が正しく表示されなかったり、画像が左右にぶれたりする。なお、ＴＶ放送信号がディジタルＴＶ放送信号である場合は、エラー訂正機能を有しているため、エラー訂正処理中に最適な受信方向を判断することができる。従って、上記問題は、専らアナログＴＶ放送信号に関するものである。
【０００７】
本発明は、上記の問題を解決するためになされたものであり、ディジタルＴＶ放送信号受信装置に多指向性アンテナが接続され、かつアナログＴＶ放送信号を受信する場合に、実際にモニタ装置上に表示される画像を用いて、各チャンネルの最適な受信方向を決定しうるディジタルＴＶ放送信号受信装置を提供することを目的とする。
【課題を解決するための手段】
【０００８】
上記目的を達成するために請求項１の発明は、あらかじめ規格で定められている複数の受信方向を有する多指向性アンテナが接続され、前記複数の受信方向のうちのいずれか１つの受信方向のみを有効にして、ディジタル又はアナログテレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、ディジタル又はアナログテレビジョン放送信号の受信を行う放送信号受信手段と、
前記テレビジョン放送信号受信手段により受信されたディジタルテレビジョン放送信号に対して所定の信号処理を行うディジタル信号処理手段と、
前記テレビジョン放送信号受信手段により受信されたアナログテレビジョン放送信号に対して所定の信号処理を行うアナログ信号処理手段と、
前記ディジタル信号処理手段又は前記アナログ信号処理手段により処理された信号をモニタ装置に出力する信号出力手段と、
前記ディジタル信号処理手段又は前記アナログ信号処理手段により処理された信号を一時的に記憶する記憶手段と、
前記記憶手段に記憶された信号を用いて、受信可能な各チャンネルについての最適な受信方向を決定する受信方向決定手段と、
ディジタルテレビジョン放送信号受信装置の各部を制御する全体制御手段を備え、
多指向性アンテナが接続されたときに、前記制御信号出力手段は、前記多指向性アンテナの受信方向が、順に前記複数の受信方向を向くように、所定の間隔で制御信号を出力し、
前記放送信号受信手段は、前記所定の間隔で、前記多指向性アンテナを介して所定のチャンネルのディジタル又はアナログテレビジョン放送信号の受信を行い、
前記受信方向決定手段は、
前記放送信号受信手段により受信したテレビジョン放送信号がディジタルテレビジョン放送信号である場合に、所定のエラー訂正処理中に得られたデータを用いて、前記所定のチャンネルについての最適な受信方向を決定し、
前記放送信号受信手段により受信したテレビジョン放送信号がアナログテレビジョン放送信号である場合に、前記記憶手段に記憶されている信号を用いて、前記複数の受信方向のそれぞれにおける信号受信強度を測定し、信号受信強度の高い方から順に複数の受信方向を選択し、選択された各受信方向における画像データをそれぞれ取得し、取得した画像データにＡ／Ｄ変換及びＪＰＥＧ圧縮処理を行い、ビットレートの最も低い受信方向を、前記所定のチャンネルについての最適な受信方向に決定することを特徴とする。
【０００９】
請求項２の発明は、請求項１のディジタルテレビジョン放送信号受信装置において、ユーザが選択したチャンネルについて、そのチャンネルについて最もテレビジョン放送信号の受信状態が良い方向に多指向性アンテナの受信方向を自動的に設定するオートスキャンモードを有し、
ユーザがオートスキャンモードを選択したときに、前記設定された受信方向切換時間で制御信号を出力し、前記多指向性アンテナの受信方向のそれぞれについて、ユーザが選択したチャンネルのテレビジョン放送信号にＪＰＥＧ圧縮処理を行い、ビットレートの低い受信方向をそのチャンネルに対する最適な受信方向であると判断し、最も強い信号受信強度を示す方向に多指向性アンテナの受信方向を自動的に設定してテレビジョン放送信号を受信することを特徴とする。
【００１０】
請求項３の発明は、あらかじめ規格で定められている複数の受信方向を有する多指向性アンテナが接続され、前記複数の受信方向のうちのいずれか１つの受信方向のみを有効にして、ディジタル又はアナログテレビジョン放送信号を受信するディジタルテレビジョン放送信号受信装置において、
多指向性アンテナが接続され、かつ受信した所定のチャンネルについてのテレビジョン放送信号がアナログテレビジョン放送信号である場合に、前記複数の受信方向について、それぞれ順にアナログテレビジョン放送信号の受信を行い、各受信方向におけるアナログテレビジョン放送信号から画像データを取得し、取得した各画像データに所定の処理を行い、画像の複雑度が最も低い方向を、前記所定のチャンネルについての最適な受信方向に決定することを特徴とする。
【００１１】
請求項４の発明は、請求項３のディジタルテレビジョン放送信号受信装置において、ユーザが選択したチャンネルについて、所定の処理を施したテレビジョン放送信号の画像の複雑度が最も低い方向に多指向性アンテナの受信方向を自動的に設定するオートスキャンモードを有することを特徴とする。
【発明の効果】
【００１２】
請求項１の発明によれば、ディジタルＴＶ放送信号受信装置においてアナログＴＶ放送信号を受信する場合に、ＴＶ放送信号の信号受信強度の最も高い方向ではなく、信号受信強度の高い方から順に複数の受信方向を選択し、選択された各受信方向における画像データをそれぞれ取得し、取得した画像データにＪＰＥＧ圧縮処理を行い、ビットレートの最も低い受信方向を、所定のチャンネルについての最適な受信方向に決定するので、実際にモニタ装置上に表示される画像を用いて、各チャンネルの最適な受信方向を決定することができる。そのため、高層ビルなどの巨大構造物が受信アンテナの付近に存在する場合であっても、巨大構造物による反射波の影響を低減させることができる。
【００１３】
請求項２の発明によれば、オートスキャンモードにおいても、巨大構造物による反射波の影響を受けることなく、ユーザが選択したチャンネルについて、ＴＶ放送信号の受信状態が最も良い方向を受信方向とすることができる。特に、多指向性アンテナの付近に巨大構造物が建設中であって、ＴＶ放送信号の受信状態が短期間に変化する場合であっても、巨大構造物による反射波の影響を低減させることができる。
【００１４】
請求項３の発明によれば、ディジタルＴＶ放送信号受信装置においてアナログＴＶ放送信号を受信する場合に、巨大構造物による反射波の影響を受けることなく、ユーザが選択したチャンネルについて、ＴＶ放送信号の受信状態が最も良い方向を受信方向とすることができる。
【００１５】
請求項４の発明によれば、オートスキャンモードにおいても、巨大構造物による反射波の影響を受けることなく、ユーザが選択したチャンネルについて、ＴＶ放送信号の受信状態が最も良い方向を受信方向とすることができる。
【発明を実施するための最良の形態】
【００１６】
本発明の一実施の形態に係るディジタルＴＶ放送信号受信装置について説明する。ユーザが家庭においてＴＶ放送信号を受信する状況を図１に示す。ディジタル（地上波）ＴＶ放送が行われている地域では、受信したディジタルＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１７】
多指向性アンテナには、モータでアンテナを回転させて受信方向を切り換えるタイプや、複数のアンテナを有し、電子スイッチのオン／オフにより有効なアンテナの方向を切り換えるタイプなど、様々な構造が考えられる。多指向性アンテナの受信方向の数は、ＥＩＡ−９０９規格によれば、１６方向と規定されており、ＥＩＡ−９０９規格に準拠したディジタルＴＶ放送信号受信装置は、接続される多指向性アンテナの種類やスペックなどにかかわらず、１６の受信方向の全てに対して切り換えが可能である。
【００１８】
ディジタルＴＶ放送信号受信装置において多指向性アンテナの受信方向を切り換える際、一般的に、各チャンネルについて受信したＴＶ放送信号の信号受信強度の最も高い方向を、そのチャンネルの受信状態の最も良い方向としている。ところが、図２に示すように高層ビルなどの巨大構造物が受信アンテナの付近に存在する場合、ある受信方向における送信塔から直接送信されるＴＶ放送信号に巨大構造物によって反射されたＴＶ放送信号（反射波）が重畳され、反射波がなければ本来最適な受信方向であるべき他の受信方向における送信塔から直接送信されるＴＶ放送信号よりも高くなる場合もあり得る。このときの多指向性アンテナ２の各受信方向におけるＴＶ放送信号の受信状態の一例を図３に示す。図３中、符号Ａ〜Ｐは、それぞれＥＩＡ−９０９規格で定められた１６の受信方向を示す。また、数字は各受信方向における特定のチャンネルのＴＶ放送信号の信号受信強度を示す。
【００１９】
図３中、信号受信強度が最も高い受信方向Ｇでは、送信塔から直接送信されるＴＶ放送信号に巨大構造物によって反射された反射波が重畳されているので、反射波がなければ本来最適な受信方向であるべき受信方向Ｈにおける送信塔から直接送信されるＴＶ放送信号の信号受信強度よりも高くなっている。このような状態で、そのチャンネルについて受信したＴＶ放送信号の信号受信強度の最も高い方向を、そのチャンネルの受信状態の最も良い方向であるすると、多指向性アンテナ２が受信方向Ｇに設定されてしまい、ユーザはゴーストが重畳され、画像が左右にぶれた画像を視聴させられることになる。
【００２０】
本実施の形態に係るディジタルＴＶ放送信号受信装置は、ディジタルＴＶ放送信号だけでなく、従来のアナログＴＶ放送信号も受信可能である。そして、アナログＴＶ放送信号を受信する際に、受信したＴＶ放送信号の信号受信強度ではなく、実際にモニタ装置上に表示される画像を用いて、各チャンネルの最適な受信方向を決定し、高層ビルなどの巨大構造物による反射波の影響を低減させる。なお、ＴＶ放送信号がディジタルＴＶ放送信号である場合は、エラー訂正機能を有しているため、エラー訂正処理中に最適な受信方向を判断することができる。従って、以下の説明は、専らアナログＴＶ放送信号に関する。
【００２１】
次に、本実施の形態に係るディジタルＴＶ放送信号受信装置１の構成を図４に示す。ディジタルＴＶ放送信号受信装置１は、多指向性アンテナ２に接続され、ＴＶ放送信号を受信するチューナ（放送信号受信手段）１１、チューナ１１で受信したディジタルＴＶ放送信号に対して所定の信号処理を行い、復号化するＡＴＳＣフロントエンド（ディジタル信号処理手段）１２、チューナ１１で受信したアナログＴＶ放送信号を復号化するＮＴＳＣデコーダ（アナログ信号処理手段）１３、ＭＰＥＧ圧縮されていたＴＶ放送信号をデコードするＭＰＥＧデコーダ（信号出力手段）１４、デコードされたＴＶ放送信号に所定の表示画像を重畳させるオンスクリーンディスプレイ部（ＯＳＤ）１５、チューナ１１により受信したＴＶ放送信号の受信状態を検知し、多指向性アンテナ２の制御ユニット２１を制御する（受信方向決定手段及び制御信号出力手段として機能する）とともに、ＡＴＳＣフロントエンド１２やＮＴＳＣデコーダ１３などを制御する（全体制御手段として機能する）制御部（ＣＰＵ）１６、デコードされたＴＶ放送信号を一時的に記憶したり、デコードされたＴＶ放送信号に重畳させる表示画像を記憶したりするメモリ（記憶手段）１７などで構成されている。ＭＰＥＧデコーダ１４によりデコードされたＴＶ放送信号は、オンスクリーンディスプレイ部１５を介してモニタ装置３に出力され、表示される。なお、ディジタルＴＶ放送では、ユーザ側のディジタルＴＶ放送信号受信装置１から放送局に向けてデータの送信が可能であるが、本発明とは直接関係がないので、その説明を省略する。
【００２２】
多指向性アンテナ２の制御ユニットは、制御部１６からの制御信号に応じて、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２３】
ＮＴＳＣデコーダ１３は、受信したアナログＴＶ放送信号を一旦ディジタル信号に変換するＡ／Ｄ変換機能及び、後述するＪＰＥＧ圧縮機能などを有している。一般的に、モニタ装置３がアナログ入力端子を有している場合、ＮＴＳＣデコーダ１３でデコードしたアナログ信号をそのままモニタ装置３に出力すればよい。しかしながら、ディジタルＴＶ放送信号受信装置１では、ディジタルＴＶ放送の様々な機能に応じて、オンスクリーンディスプレイ部１５により、モニタ装置３上に表示される画像の上にさまざまな表示画像を重畳させることができる。また、オンスクリーンディスプレイ部１３による画像重畳処理は、ディジタル処理で行う方が簡単である。そのため、アナログＴＶ放送信号にディジタル処理を施すために、ＮＴＳＣデコーダ１３にＡ／Ｄ変換機能及びＪＰＥＧ圧縮機能などを持たせている。
【００２４】
次に、ディジタルＴＶ放送信号受信装置１の制御部１６による多指向性アンテナ２の受信方向制御について、上記図３及び図５に示すフローチャートを参照しつつ説明する。まず、制御部１６がチューナ１１に多指向性アンテナ２が接続されたことを検出すると、初期動作として、接続された多指向性アンテナ２により受信可能な各チャンネルについての最適受信方向の設定処理（アンテナ処理）を行う。制御部１６は、カウンタにｎ＝１６をセットし（Ｓ１）、第ｎ番目の方向を指定する制御信号を出力する（Ｓ２）。制御信号を多指向性アンテナ２の制御ユニット２１に出力した後、多指向性アンテナ２の受信方向切り換えに要する時間を経過した後、チューナ１１により所定のチャンネルのＴＶ放送信号を受信する（Ｓ３）。ＴＶ放送信号を受信すると、制御部１６は、受信したＴＶ放送信号の信号受信強度を測定し、測定結果をメモリ１７に保存する（Ｓ４）。そして、カウンタを１つ減算し（Ｓ５）、１６の受信方向の全てについてディジタルＴＶ放送信号の信号受信強度を測定したか否かを判断する（Ｓ６）。１６の受信方向の全てについてＴＶ放送信号の信号受信強度を測定していない場合は、ステップＳ２に戻って次の受信方向についてディジタルＴＶ放送信号の信号受信強度を測定する。
【００２５】
１６の受信方向の全てについてＴＶ放送信号の信号受信強度の測定が完了すると（Ｓ６でＹＥＳ）、制御部１６は、メモリ１７に保存されている測定データを読み出す。受信したＴＶ放送信号がアナログＴＶ放送信号である場合、制御部１６は、全ての受信方向について測定した信号受信強度を比較する（Ｓ７）。さらに、制御部１６は、信号受信強度の高い方から順に複数、例えば図４中信号受信強度の値が８０以上の４つの受信方向Ｆ、Ｇ、Ｈ、Ｉを選択し（Ｓ８）、チューナ１１を介して、選択された各受信方向における静止画像データをそれぞれ取得する（Ｓ９）。ＮＴＳＣデコーダ１３は、取得した静止画像データにＡ／Ｄ変換及びＪＰＥＧ圧縮処理を行い、制御部１６に出力する（Ｓ１０）。制御部１６は、ＪＰＥＧ圧縮された静止画像データのビットレートを比較し（Ｓ１１）、ビットレートの最も低い受信方向を、所定のチャンネルについての最適な受信方向に決定し、メモリに１７に保存する（Ｓ１２）。上記ステップを、接続された多指向性アンテナ２で受信可能な各チャンネルについて実行する。
【００２６】
なお、ディジタルＴＶ放送信号受信装置１によるオートスキャン動作についても、図５に示すフローチャートと同じ処理が実行される。そして、ＪＰＥＧ圧縮された画像データのビットレートが最小である方向が決定されると、制御部１６は、ビットレートが最小である方向を指示する制御信号を、多指向性アンテナ２の制御ユニット２１に出力する。さらに、多指向性アンテナ２の受信方向切り換えに要する時間を経過した後、チューナ１１により所定のチャンネルのディジタルＴＶ放送信号の受信を開始する。
【００２７】
次に、特定のチャンネルについての最適受信方向を決定するに当たり、アナログの静止画像データを一旦Ａ／Ｄ変換し、さらにＪＰＥＧ圧縮する理由について説明する。ゴーストなどの影響を受けていない鮮明な画像の場合、一般的に、画像の輪郭部分を除き、隣接する画素の輝度データ及び彩度データはほぼ同じである。すなわち、鮮明な画像の場合、輝度データや彩度データの変化が少なく、複雑度が低い。これに対して、ゴーストが発生した画像では、同じ画像が一定の距離だけずれて重複して現れるため、輪郭部分の数が多い。また、画像が重複しているため、彩度も低下している。また、ＴＶ放送信号の受信状態が悪く、ノイズの影響を受けている場合、いわゆる砂嵐状態となり、画面上に白黒の線が多数現れる。従って、ゴーストが発生した画像やノイズの影響を受けた画像の場合、輝度データや彩度データの変化が多く、複雑度が高い。そのため、これらの画像データをＪＰＥＧ圧縮してビットレートを比較することにより、ゴーストなどの影響を受けていない鮮明な画像であるのか、あるいはゴーストなどの影響を受けた鮮明度の低い画像であるのかを判断することができる。
【００２８】
多指向性アンテナ２は、同時に２以上の受信方向でＴＶ放送信号を受信することはできず、また受信方向を切り換えるために一定の時間を要する。従って、上記のような最適受信方向の設定処理を行うに当たり、各受信方向について処理される静止画像データの取得には時間的なずれが生じており、静止画像データは本質的に同じではない。しかしながら、取得した静止画像データが異なっていたとしても、鮮明な静止画像データをＪＰＥＧ圧縮したときのビットレートの変化の方が、ゴーストやノイズの影響を受けた静止画像データをＪＰＥＧ圧縮したときのビットレートの変化の方が大きいと考えられる。従って、上記のように本来動画であるＴＶ放送信号から１つの静止画像データを抽出してＪＰＥＧ圧縮しても特に問題はない。また、静止画像データを取得している間に、ＴＶ番組が切り替わるなど、画像が大きく変化し、最適な受信方向が決定できないときは、一定時間をおいて上記処理をやり直せばよい。
【００２９】
なお、ユーザが選択したチャンネルに応じて最適受信方向を切り換える際、必ずしもオートスキャン動作を行う必要はなく、あらかじめチャンネルごとに最適受信方向を測定し、メモリ１７に記憶させておき、その最適受信方向に応じて多指向性アンテナ２の受信方向を切り換えても良い。具体的には、上記アンテナ処理により確認された多指向性アンテナ２の各受信方向について、チャンネルを切り換えてＴＶ放送信号の信号受信強度を測定しておき、最も信号受信強度の高い方向をそのチャンネルの最適受信方向としてメモリ１７に記憶させておく。そして、ユーザがあるチャンネルを選択すると、そのチャンネルの最適受信方向をメモリ１７から読み出し、読み出した受信方向に対応する制御信号を制御ユニット２１に出力すればよい。ＴＶ放送信号の受信状態は短期的には変化しないので、通常はオートスキャンを行わなくても、ユーザは一定の品質の映像を見ることができる。
【図面の簡単な説明】
【００３０】
【図１】ユーザが家庭においてディジタルテレビジョン（ＴＶ）放送信号を受信する状況を示す概念図。
【図２】高層ビルなどの巨大構造物によって反射されたＴＶ放送信号（反射波）が送信塔から直接送信されるＴＶ放送信号に重畳される状況を示す概念図。
【図３】多指向性アンテナの各受信方向におけるアナログＴＶ放送信号の受信状態の一例を示す図。
【図４】本発明の一実施の形態に係るディジタルＴＶ放送信号受信装置の構成を示すブロック図。
【図５】上記ディジタルＴＶ放送信号受信装置による特定チャンネルのアナログＴＶ放送についての多指向性アンテナの最適受信方向決定処理を示すフローチャート。
【符号の説明】
【００３１】
１  ディジタルＴＶ放送信号受信装置
２  多指向性アンテナ（スマートアンテナ）
３  モニタ装置
１１  チューナ（放送信号受信手段）
１２ＡＴＳＣフロントエンド（ディジタル信号処理手段）
１３  ＮＴＳＣデコーダ（アナログ信号処理手段）
１４  ＭＰＥＧデコーダ（信号出力手段）
１５  オンスクリーンディスプレイ部
１６  制御部（制御信号出力手段、受信方向決定手段、全体制御手段）
１７  メモリ（記憶手段）
２１  制御ユニット
【図１】
2005318140.tif 000003
【図２】
2005318140.tif 000004
【図３】
2005318140.tif 000005
【図４】
2005318140.tif 000006
【図５】
2005318140.tif 000007